(57)【特許請求の範囲】
【請求項１】
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能であり、
前記布体の他方の面における前記布体の縦方向の中心位置より高い位置において、前記第２縦辺より前記第１縦辺の近くに接続しており、先端部に第１係合部を有する第１係合紐部と、
前記布体の他方の面における前記第１係合紐部と略同じ高さにおいて、前記第１縦辺より前記第２縦辺の近くに接続しており、先端部に第２係合部を有する第２係合紐部と、を有し、
前記第１係合部および第２係合部は、アウターウェア本体部に対して連結および分離自在であるペットキャリア。
【請求項２】
前記ポケット内には、先端部にペットの首輪に連結可能な連結具を有する連結紐部が取り付けられている請求項１に記載のペットキャリア。
【請求項３】
前記ポケットの前記開口部には、絞り紐により前記開口部を開閉可能なネット状部分が取付けられている請求項１または請求項２に記載のペットキャリア。
【請求項４】
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能であり、
前記ポケットには、前記開口部の両側に一対の取っ手が取り付けられているペットキャリア。
【請求項５】
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能であり、
前記布体または前記ポケットには、一対の肩掛け紐が取り付けられているペットキャリア。
【請求項６】
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能であり、
前記布体の前記一方の面における前記ポケットより低い位置に取り付けられ、下向き開口部および前記下向き開口部を閉止する閉止部を有する下向きポケットを有するペットキャリア。
【請求項７】
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能であり、
前記布体の他方の面における前記布体の縦方向の中心位置より低い位置において、前記第２縦辺より前記第１縦辺の近くに接続しており、先端部に第３係合部を有する第３係合紐部と、
前記布体の前記他方の面における前記第３係合紐部と略同じ高さにおいて、前記第１縦辺より前記第２縦辺の近くに接続しており、先端部に第４係合部を有する第４係合紐部と、を有し
前記ポケットの側面には、前記第３係合部が着脱自在に係合する第５係合部と、前記第４係合部が着脱自在に係合する第６係合部と、が設けられるペットキャリア。
【請求項８】
請求項１から請求項７までのいずれかに記載のペットキャリアと、前記ペットキャリアを着脱可能なオープンファスナー式のアウターウェア本体部と、を有するアウターウェア。
【発明の詳細な説明】
【技術分野】
【０００１】
本発明は、オープンファスナー式のアウターウェア本体部に着脱可能なペットキャリア等に関する。
【背景技術】
【０００２】
犬や猫などの小型動物のペットを連れて、散歩やお出かけを行う際、リードなどを用いて飼い主とともに歩かせるスタイルが多く見られる。また、近年、屋外施設や屋内施設では、ペット同伴が可能な場所も増えている。
【０００３】
このような中で、ペットを、飼い主の体により近づけた状態にできるペットキャリアとして、スリング式やショルダーバッグ式のペットキャリアが提案されている。このようなペットキャリアは、ペットを飼い主の体に近い位置に保持できるため、人が比較的多い場所や、屋内でのペットの同伴に適している。
【０００４】
しかしながら、ペットを同伴する際には、ペットを歩行させたり、ペットをキャリアに入れたり、状況に応じて切り換えたい場合が多い。従来のペットキャリアでは、ペットを歩行させる状態のとき、使用してないキャリアを持ち歩く煩わしさが大きい問題があった。また、上述したスリング式やショルダーバッグ式のペットキャリアは、飼い主（同伴者）の体に対してペットキャリアが離れやすく、ペットを同伴している状態では、飼い主の動きが大きく制約される問題がある。
【先行技術文献】
【特許文献】
【０００５】
【特許文献１】特開２０１０−１３６６７２号公報
【発明の概要】
【発明が解決しようとする課題】
【０００６】
本発明は、このような課題を解決するためになされたものであり、ペットキャリアを持ち歩く煩わしさを軽減できるとともに、ペットを同伴者の体に近い位置に保持でき、かつ、同伴者の動きを制約しにくいペットキャリア等を提供する。
【課題を解決するための手段】
【０００７】
本発明に係るペットキャリアは、
縦長の布体と、
前記布体の第１縦辺に沿って設けられるオープンファスナーの一方側と、
前記布体の第２縦辺に沿って設けられるオープンファスナーの他方側と、
上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能なペットキャリアである。
【０００８】
本発明に係るペットキャリアは、布体の第１縦辺と第２縦辺とに、オープンファスナーの一方側と他方側が設けられるため、オープンファスナー式のアウターウェア本外部に着脱可能である。同伴者は、ペットキャリアを容易にオープンファスナー式のアウターウェア本体部に装着し、服を着るように、ペットキャリアを身に着けることができる。したがって、本発明に係るペットキャリアは、持ち歩きに関する煩わしさを大きく軽減できる。また、本発明に係るペットキャリアは、服を着るように身に着けることができるため同伴者の体から離れにくく、ペットを同伴している状態においても飼い主（同伴者）の動きを制約しにくい。したがって、飼い主は、ペットを同伴している状態であっても、比較的自由な動きを行うことができる。また、ペットを収容するポケットが、布体の縦方向の中心位置より高い位置に取り付けられるため、ペットと同伴者の顔との距離が近く、また、ペットは襟元から顔を覗かせることが可能であり、飼い主とペットのコミュニケーションを円滑に行うことができる。また、ペットが襟元から外部を伺えるようになっていることから、ペットの不安を軽減することができる。
【０００９】
また、たとえば、前記ポケット内には、先端部にペットの首輪に連結可能な連結具を有する連結紐部が取り付けられていてもよい。
【００１０】
このような連結紐部を有することにより、ペットがポケットから逸脱することを防止することができる。
【００１１】
また、たとえば、前記ポケットの前記開口部には、絞り紐により前記開口部を開閉可能なネット状部分が取付けられていてもよい。
【００１２】
一部の屋内施設などでは、キャリアを用いてペットを同伴する際に、ペットの全身がキャリアから露出しないように要求される場合があるが、ネット状部分を有するペットキャリアは、絞り紐によりポケットの開口部を閉めて、ペットがキャリアから露出しないようにできる。また、ポケットに収容されるペットは、ネット状部分を介して外部を伺えるようになっていることから、このようなペットキャリアでは、ペットの不安が軽減される。
【００１３】
また、たとえば、本発明に係るペットキャリアは、前記布体の他方の面における前記布体の縦方向の中心位置より高い位置において、前記第２縦辺より前記第１縦辺の近くに接続しており、先端部に第１係合部を有する第１係合紐部と、
前記布体の他方の面における前記第１係合紐部と略同じ高さにおいて、前記第１縦辺より前記第２縦辺の近くに接続しており、先端部に第２係合部を有する第２係合紐部と、を有してもよく
前記第１係合部および第２係合部は、アウターウェア本体部に対して連結および分離自在であってもよい。
【００１４】
このようなペットキャリアは、第１係合部および第２係合部をアウターウェア本体部の係合部に係合させることにより、オープンファスナーの予期せぬ開放により、ペットキャリアがアウターウェア本体部から離脱してしまうことを防止できる。また、第１係合部と第２係合部とが係合および分離自在であれば、ペットキャリアをアウターウェアから取り外して持ち運ぶ際に、第１係合部と第２係合部とを係合させることにより、容易にコンパクトな形状に折りたたむことができる。
【００１５】
また、たとえば、前記ポケットには、前記開口部の両側に一対の取っ手が取り付けられていてもよい。
【００１６】
このようなペットキャリアは、アウターウェア本体部から取り外した状態で、ペット以外のものを収容するショルダーバッグまたはハンドバックとして使用することができる。
【００１７】
また、たとえば、前記布体または前記ポケットには、一対の肩掛け紐が取り付けられていてもよい。
【００１８】
このようなペットキャリアは、アウターウェアから取り外した状態であっても、肩掛け紐を両肩に通すことにより、ペットキャリアとして使用できる。
【００１９】
また、たとえば、前記布体の前記一方の面における前記ポケットより低い位置に取り付けられ、下向き開口部および前記下向き開口部を閉止する閉止部を有する下向きポケットを有してもよい。
【００２０】
このようなペットキャリアは、ペットを収容するポケット以外にも下向きポケットを有するため、ペットに使用する小物などを、ペットの収容部分とは別の場所に収容することができる。また、閉止部により、ポケットの内容物が脱落することを防止できる。
【００２１】
また、たとえば、本発明に係るペットキャリアは、前記布体の他方の面における前記布体の縦方向の中心位置より低い位置において、前記第２縦辺より前記第１縦辺の近くに接続しており、先端部に第３係合部を有する第３係合紐部と、
前記布体の前記他方の面における前記第３係合紐部と略同じ高さにおいて、前記第１縦辺より前記第２縦辺の近くに接続しており、先端部に第４係合部を有する第４係合紐部と、を有してもよく
前記ポケットの側面には、前記第３係合部が着脱自在に係合する第５係合部と、前記第４係合部が着脱自在に係合する第６係合部と、が設けられていてもよい。
【００２２】
このようなペットキャリアは、第３係合部および第４係合部をアウターウェアの係合部に係合させることにより、オープンファスナーの予期せぬ開放により、ペットキャリアがアウターウェアから離脱してしまうことを防止できる。また、ペットキャリアをアウターウェアから取り外してバッグとして使用する際に、第３および第４係合部と第５および第６係合部とを係合させることにより、布体の下部が垂れ下がることを防止できる。
【００２３】
また、本発明に係るアウターウェアは、上記いずれかに記載のペットキャリアと、ペットキャリアを着脱可能なオープンファスナー式のアウターウェア本体部と、を有する。
【００２４】
このようなオープンファスナー式のアウターウェアは、ペットキャリアを装着してペットキャリア付きのアウターウェアとして使用することもできるし、ペットキャリアを外して、通常のアウターウェアとして使用することも可能である。また、オープンファスナーを用いているため、ペットキャリアを素早く確実に着脱できる。
【図面の簡単な説明】
【００２５】
【図１】図１は、本発明の一実施形態に係るオープンファスナー式のアウターウェアにおいてペットキャリアを外した状態を示す外観図である。
【図２】図２は、本発明の一実施形態に係るオープンファスナー式のアウターウェアにおいてペットキャリアを装着した状態を示す外観図である。
【図３】図３は、図２に示すオープンファスナー式のアウターウェアを飼い主が着て、ペットを同伴している状態を示す概念図である。
【図４】図４は、本発明の一実施形態に係るペットキャリアの外観図である。
【図５】図５は、図４に示すペットキャリアを折りたたんだ状態を示す概念図である。
【図６】図６は、本発明の第１変形例に係るペットキャリアの外観図である。
【図７】図７は、本発明の第１および第２変形例に係るペットキャリアを側方から見た外観図である。
【図８】図８は、本発明の第３変形例に係るペットキャリアを飼い主が装着して、ペットを同伴している状態を示す概念図である。
【図９】図９は、図８に示すペットキャリアの外観図である。
【図１０】図１０は、本発明の第４変形例に係るペットキャリアの外観図である。
【図１１】図１１は、図１０に示すペットキャリアの布体の下部を折り曲げた状態を示す概念図である。
【発明を実施するための形態】
【００２６】
図１は、本発明の一実施形態に係るオープンファスナー式のアウターウェア（以下、単に「アウターウェア」ともいう。）においてペットキャリア１０を外した状態のアウターウェア本体部８０を示す概念図である。図１に示すように、アウターウェア本体部８０は、オープンファスナー式の通常のアウターウェアとして使用できる。
【００２７】
アウターウェア本体部８０としては、ペットキャリア１０に合わせてオリジナル作成されたものであってもよく、市販の通常のコートやジャケットなどのアウターウェアを改造したものであってもよく、また、衣料品店等で販売される通常のアウターウェアであってもよい。市販のアウターウェア等をアウターウェア本体部８０として用いる場合は、ペットキャリア１０側のオープンファスナー２０の形状を、取り付けたいアウターウェア本体部８０のオープンファスナーの形状に合わせて選択する。
【００２８】
アウターウェア本体部８０は、右前身頃８２と左前身頃８４とをオープンファスナーで閉じることができるオープンファスナー式のコートである。左前身頃８４には、オープンファスナーの一方側８５が取り付けられており、右前身頃８２にはオープンファスナーの他方側８６が取り付けられている。アウターウェア本体部８０は、ペットキャリア１０を取り外した状態で身に着けて、通常のコートとして使用できる。
【００２９】
アウターウェア本体部８０を通常のコートとして使用する場合、オープンファスナーを開いた状態で袖を通して身に着ける。着用時においては、オープンファスナーの一方側８５と他方側８６とを開いた状態のままにしていてもよく、オープンファスナーの一方側８５と他方側８６とを閉じた状態にしてもよい。
【００３０】
アウターウェア本体部８０の右前身頃８２にはプラスチックバックルの一方側である右係合部８７が取り付けられており、アウターウェア本体部８０の左前身頃８４または持ち出し部分８９には、プラスチックバックルの他方側である左係合部８８が取り付けられている。右係合部８７と左係合部８８は、着脱自在に連結することができる。また、アウターウェア本体部８０の持ち出し部分８９と右前身頃８２には、互いに係合可能なスナップボタン８９ａ、８２ａが設けられている。スナップボタン８９ａ、８２ａを留めることにより、コートの遮蔽性を高めることができる。
【００３１】
なお、アウターウェア本体部８０は、ジャケットやブルゾンなど、コート以外のアウターウェアであってもよい。また、アウターウェア本体部８０としては、オープンファスナー式である限り、多様なデザインのアウターウェア本体部８０を採用可能であり、自由なファッションを楽しむことができる。
【００３２】
図２は、本発明の一実施形態に係るオープンファスナー式のアウターウェアを示す外観図である。図２に示すように、アウターウェアは、オープンファスナー式のアウターウェア本体部８０に着脱可能なペットキャリア１０を有する。
【００３３】
図２に示すように、ペットキャリア１０は、主として図１に示すアウターウェア本体部８０に取り付けた状態で、ペットキャリア１０として使用される。ペットキャリア１０は、縦長の布体１２と、オープンファスナー２０の一方側２２と、オープンファスナー２０の他方側２６と、ペットを収容するポケット３０とを有する。また、ペットキャリア１０は、ネット状部分３４と、取っ手４０ａ、４０ｂと、連結紐部４２と、第１〜第４係合紐部５１〜５４とを有する。
【００３４】
図４は、アウターウェア本体部８０から取り外したペットキャリア１０を、図３に示すようにペットキャリア１０のポケット３０にペット９０を収容して使用する状態において使用者の体側を向く側（図２に示す側とは反対側）から、見た概略図である。図２および図４に示すように、布体１２は、両側をアウターウェア本体部８０に連結され、ペット９０を収容するポケット３０を支持する。
【００３５】
布体１２の材質は特に限定されないが、たとえば、綿、麻、絹、羊毛などの天然繊維、ナイロン、ポリエステルなどの化学繊維、天然または人工の革生地およびこれらの組み合わせなどが、布体１２の材質として挙げられる。また、たとえば、布体１２の材質は、図２に示すアウターウェア本体部８０の右前身頃８２および左前身頃８４と同様の材質とすることにより、保温性などのアウターウェアとしての機能や、デザインの統一性を確保してもよい。ただし、布体１２の材質は、前身頃８２、８４とは異なっていてもよい。
【００３６】
図２および図４に示すように、ペットキャリア１０では、オープンファスナー２０の一方側２２が、布体１２の第１縦辺１４に沿って設けられる。ペットキャリア１０では、オープンファスナー２０の他方側２６が、布体１２の第２縦辺１６側に沿って設けられる。図２および図４に示すように、オープンファスナー２０の一方側２２は、アウターウェア本体部８０のオープンファスナーの他方側８６に着脱自在であり、オープンファスナー２０の他方側２６は、アウターウェア本体部８０のオープンファスナーの一方側８５に対して着脱自在である。
【００３７】
ここで、オープンファスナー２０とは、スライダー２３、８５ａを移動させることにより務歯（ムシ）を係合、離脱させ、生地や布体を繋ぎ合わせたり、分離させたりできるものであって、スライダー２３、８５ａを有する一方側２２、８５に対して、他方側２６、８６を完全に分離させることが可能であり、また、分離した状態から連結自在であるものを言う。
【００３８】
図４に示すように、布体１２の第１縦辺１４に沿って設けられるオープンファスナー２０の一方側２２は、スライダー２３、務歯２４、箱２５等を有する。布体１２の第２縦辺１６に沿って設けられるオープンファスナー２０の他方側２６は、務歯２８、蝶棒２７等を有する。
【００３９】
図２に示すように、ペットキャリア１０をアウターウェア本体部８０に取り付ける場合、オープンファスナー２０の一方側２２の箱２５に対して、右前身頃８２に繋がる他方側８６の蝶棒を差し込み、スライダー２３を引き上げることにより、オープンファスナー２０の一方側２２をアウターウェア本体部８０のオープンファスナーの他方側８６に連結する。また、左前身頃８４に繋がる一方側８５の箱に対して、オープンファスナー２０の他方側２６の蝶棒２７（図４参照）を差し込み、アウターウェア本体部８０のスライダー８５ａを引き上げることにより、オープンファスナー２０の他方側２６を、アウターウェア本体部８０のオープンファスナーの一方側８５に連結する。
【００４０】
アウターウェア本体部８０とペットキャリア１０とのオープンファスナーによる連結は、使用者（飼い主、同伴者）がアウターウェア本体部８０に袖を通す前に行ってもよく、使用者がアウターウェア本体部８０に袖を通した後に行ってもよい。ただし、オープンファスナー２０の一方側２２および他方側２６の連結のうち、少なくとも一方は、使用者がアウターウェア本体部８０を身に付けた後に行うほうが、使用者は、ペットキャリア１０つきのアウターウェアを、容易に身に着けることができる。
【００４１】
図４に示すように、布体１２の内側の面である一方の面１２ａには、ペットを収容するポケット３０が取り付けられている。ポケット３０は、上向きの開口部３２を有し、その中心位置３０ａが、布体１２の縦方向の中心位置１８より高い位置に取り付けられている。
【００４２】
図３は、図２に示すオープンファスナー式のアウターウェアを飼い主（同伴者）が着て、ペット９０を同伴している状態を示す概念図である。図３に示すように、犬などのペット９０は、ポケット３０に収容される。ペット９０は、たとえば図３に示すように、頭部が開口部３２から露出可能な状態で、ポケット３０に収容される。
【００４３】
図２および図３に示すように、ポケット３０の開口部３２は、布体１２の上端より僅かに上方に露出していてもよく、これにより、ポケット３０に収容されるペット９０が、同伴者や外部の様子を、伺いやすくなっている。ポケット３０の材質は、布体１２と同じであってもよく、異なっていてもよいが、収容されるペット９０が動いても破損しにくい、表面が平滑で丈夫な生地などであることが好ましい。
【００４４】
また、図２〜図４に示すように、ポケット３０の開口部３２には、絞り紐３５により開口部３２を開閉可能なネット状部分が取り付けられていても良い。一部の屋内および屋外施設では、ペット９０を同伴する際に、図３に示すようにペット９０の一部がキャリアから露出することを禁止している場合がある。そのような場合、開口部３２の絞り紐３５を用いて、ネット状部分３４により開口部３２を閉じることにより、ポケット３０およびネット状部分３４により形成される空間内を外部に対して遮蔽し、ペット９０の一部が収容空間から露出しない状態にすることができる。
【００４５】
なお、ネット状部分３４により開口部３２を閉じた場合であっても、収容されたペット９０は、ネット状部分３４を介して飼い主（同伴者）や外部の様子を視認できるため、収容されるペット９０の不安は軽減される。なお、ネット状部分３４におけるネットの開口径は特に限定されないが、例えば、０．１〜４０ｍｍ程度とすることができる。また、ネット状部分３４は、ポケット３０の開口部３２に対して、縫い合わせ、接着等の方法で取り付けられる。ただし、ネット状部分３４のポケット３０への取付方法は、特に限定されない。
【００４６】
また、ペット９０のサイズなどに応じて、絞り紐３５の絞り具合を調整し、適度に開口部３２を狭めることにより、ペット９０がポケット３０から脱落することを防止できる。
【００４７】
図２および図４に示すように、ポケット３０内には、先端部にペット９０の首輪等に連結可能な連結具４２ａを有する連結紐部４２が取り付けられている。図示されていない連結紐部４２の基端は、ポケット３０内に固定されている。したがって、ペット９０の首輪などに連結具４２ａを連結することにより、ポケット３０に収容されるペット９０が、ポケット３０から外部に出ることを防止できる。
【００４８】
連結紐部４２の先端に取り付けられる連結具４２ａとしては、スライド開閉可能なフック、カラビナ、ナスカンなどが挙げられるが、連結具４２ａの種類は特に限定されない。また、連結具４２ａの連結先は首輪のみには限られず、胴輪やペット服など、ペット９０が身に着ける首輪以外の部分に、連結具４２ａが連結されてもかまわない。
【００４９】
図２〜図４に示すように、ポケット３０には、開口部３２の両側に一対の取っ手４０ａ、４０ｂが取り付けられている。図４に示すように、アウターウェア本体部８０から取り外されたペットキャリア１０は、取っ手４０ａ、４０ｂを手に持ったり、肩に掛けたりすることにより、手提げバッグまたはショルダーバックなどとして使用することができる。また、アウターウェア本体部８０から取り外した状態で、ペットキャリア１０を、手提げバックまたはショルダーバック型のペットキャリアとして使用してもよい。なお、ポケット３０は、布体１２の内側の面である一方の面１２ａに取り付けられていることにより、図３に示すペット９０と同伴者との距離が近くなり、同伴者の体でペット９０を支え易くなり好ましい。ただし、ポケット３０が取り付けられる一方の面は、布体１２の外側の面であってもよい。
【００５０】
図２に示すように、布体１２の外側の面である他方の面１２ｂには、第１係合紐部５１が接続している。第１係合紐部５１の紐部基端５１ｂは、布体１２の縦方向の中心位置１８より高い位置において、第２縦辺１６より第１縦辺１４の近くに接続している。第１係合紐部５１は、先端部に第１係合部５１ａを有しており、第１係合部５１ａは、アウターウェア本体部８０の右前身頃８２に接続する右係合部８７に連結および分離自在である。
【００５１】
第１係合部５１ａおよび右係合部８７は、プラスチックバックルにより構成されているが、他のフックやボタンなど、互いに連結および分離自在な他の部材で構成されていてもよい。
【００５２】
また、布体１２の外側の面である他方の面１２ｂには、第２係合紐部５２が接続している。第２係合紐部５２の紐部基端５２ｂは、第１係合紐部５１の紐部基端５１ｂと略同じ高さにおいて、第１縦辺１４より第２縦辺１６の近くに接続している。第２係合紐部５２は、先端部に第２係合部５２ａを有しており、第２係合部５２ａは、アウターウェア本体部８０の左前身頃８４または持ち出し部分８９に接続する左係合部８８に連結および分離自在である。
【００５３】
第２係合部５２ａおよび左係合部８８は、右係合部８７および第１係合部５１ａと同様に、プラスチックバックル等により構成することができるが、特に限定されない。図２および図３に示すように、布体１２は、第１係合紐部５１および第２係合紐部５２を介して、アウターウェア本体部８０に連結される。
【００５４】
このようなペットキャリア１０は、布体１２の第１縦辺１４および第２縦辺１６に沿うオープンファスナーの予期せぬ開放により、ペットキャリア１０がアウターウェア本体部８０から離脱してしまう問題を、効果的に防止できる。また、第１および第２係合部５１ａ、５２ａをアウターウェア本体部８０に連結することにより、オープンファスナーを開く方向に作用する力を、軽減することができる。
【００５５】
また、第１係合部５１ａと第２係合部５２ａとは、互いに係合および分離自在であってもよい。図５は、図４に示すようにアウターウェア本体部８０から分離したペットキャリア１０を、小さく折りたたんだ状態を示している。図５に示すように、ペットキャリア１０を小さく折りたたんだ後、第１係合部５１ａと第２係合部５２ａとを係合させることにより、ペットキャリア１０をコンパクトな形状にして収納したり、持ち運びしたりすることができる。
【００５６】
図２に示すように、布体１２の外側の面である他方の面１２ｂには、第３係合紐部５３および第４係合紐部５４が接続している。第３係合紐部５３の紐部基端５３ｂは、布体１２の縦方向の中心位置１８より低い位置において、第２縦辺１６より第１縦辺１４の近くに接続している。第３係合紐部５３は、先端部に第３係合部５３ａを有しており、第３係合部５３ａは、アウターウェア本体部８０の右前身頃８２に設けられるスナップボタン８２ａに連結および分離自在である。
【００５７】
一方、第４係合紐部５４の紐部基端５４ｂは、第３係合紐部５３の紐部基端５３ｂと略同じ高さにおいて、第１縦辺１４より第２縦辺１６の近くに接続している。第４係合紐部５４は、先端部に第４係合部５４ａを有しており、第４係合部５４ａは、アウターウェア本体部８０の左前身頃８４または持ち出し部分８９に設けられるスナップボタン８９ａに連結および分離自在である。
【００５８】
このような第３係合紐部５３および第４係合紐部５４も、アウターウェア本体部８０に連結することにより、ペットキャリア１０が予期せずアウターウェア本体部８０から分離することを防止できる。なお、図２では、第１および第２係合部５１ａ、５２ａをプラスチックバックルとし、第３係合部５３ａおよび第４係合部５４ａをスナップボタンとしているが、第１および第２係合部５１ａ、５２ａの構成と、第３係合部５３ａおよび第４係合部５４ａの構成は、この逆であってもよい。
【００５９】
図３に示すように、本実施形態に係るペットキャリア１０は、オープンファスナー式のアウターウェア本体部８０に装着し、服を着るように、身に着けることができる。そのため、たとえペットをキャリアから出して歩行させている状態でも、キャリアを持ち歩く煩わしさが軽減される。また、ペットキャリア１０のポケット３０およびポケット３０に収容されるペット９０が同伴者（飼い主）の体から離れにくく、ペット９０を同伴者の体に近い位置に保持できる。または、このようなペットキャリア１０では、同伴者は、図３に示すようにペット９０を同伴している状態であっても、比較的自由な動きを行うことができる。また、混雑する環境でも、ペット９０を同伴者の体に近い位置に保持することにより、安全性を確保しやすい。
【００６０】
また、ペットキャリア１０では、ペット９０を収容するポケット３０が、布体１２の縦方向の中心位置１８より高い位置に取り付けられるため、ペット９０と同伴者の顔との距離が近く、飼い主とペット９０とのコミュニケーションを円滑に行うことができる。また、ペット９０は襟元から顔を覗かせることが可能であり、ペット９０が襟元から外部を伺えるようになっていることから、同伴時におけるペット９０の不安を軽減することができる。
【００６１】
以上、図１から図５を用いてペットキャリア１０およびペットキャリア１０を着脱自在に有するオープンファスナーアウターウェアを説明してきたが、本発明は上述した実施形態のみには限定されず、他の実施形態や変形例を多く含むことは言うまでもない。たとえば、オープンファスナーの左右およびコートの持ち出し部分の左右は、図１〜図４に示すものと逆であってもよい。また、図６は、第１変形例に係るペットキャリア１１０を示す外観図である。図６に示すペットキャリア１１０は、ポケット１３０にネット状部分（図４参照）が取り付けられていないことを除き、図４に示すペットキャリア１０と同様である。
【００６２】
図６に示すように、ペットキャリア１１０のポケット１３０は、ネット状部分を有しないシンプルな形状であってもよい。図７（ａ）は、図６に示すペットキャリア１１０を側方から見た外観図である。ポケット１３０は、底部１３６にマチが設けられており、やや大きめのペットを収容可能である。
【００６３】
これに対して、図７（ｂ）は、第２変形例に係るペットキャリア２１０を示す側面図である。図７（ｂ）に示すように、ペットキャリア２１０におけるポケット３０の底部２３６にはマチが形成されていない。このように、マチを設けないことにより、ペットがポケット２３０内で動きすぎることを防止できる。ポケット２３０の底部２３６の形状が異なることを除き、ペットキャリア２１０は、ペットキャリア１１０と同様である。第１変形例および第２変形例に係るペットキャリア１１０、２１０は、実施形態に係るペットキャリア１０との共通部分については、ペットキャリア１０と同様の効果を奏する。
【００６４】
図８および図９は、第４変形例に係るペットキャリア３１０の外観図である。図８および図９に示すように、ペットキャリア３１０は、一対の肩掛け紐３６１ａ、３６１ｂと、腰紐３６２が、布体１２またはポケット３０に取付けられていることを除き、図２〜図５に示すペットキャリア１０と同様である。
【００６５】
図８に示すように、ペットキャリア３１０は、一対の肩掛け紐３６１ａ、３６１ｂを有するため、同伴者（飼い主）は、肩掛け紐３６１ａ、３６１ｂを両肩に掛けてペットキャリア３１０を使用することにより、ペットキャリアとして使用することが可能である。すなわち、ペットキャリア３１０は、図１に示すアウターウェア本体部８０のオープンファスナーに接続しなくても、ペットキャリア３１０を、図８に示すように使用できる。
【００６６】
また、図９に示すように、ペットキャリア３１０の腰紐３６２は、プラスチックバックル３６２ｃ、３６２ｄにより連結・分離可能になっている。腰紐３６２を腰に回すことにより、ペットキャリア３１０を同伴者の体に密着させることができる。
【００６７】
図８および図９に示すペットキャリア３１０は、ペットキャリア３１０単体でも、図２に示すペットキャリア１０のようにアウターウェア本体部８０に接続した状態でも、どちらでもペットキャリアとして使用可能である。同伴者は、季節や状況に合わせて、ペットキャリア３１０の使用形態を選択できる。その他、ペットキャリア３１０は、ペットキャリア１０との共通部分については、ペットキャリア１０と同様の効果を奏する。
【００６８】
図１０は、第５変形例に係るペットキャリア４１０を示す外観図であり、図１１は、ペットキャリア４１０の一使用状態を説明する概念図である。ペットキャリア４１０は、下向きポケット４６６を有する点と、ポケット１３０の側面に第５係合部４３８および第６係合部４３９が設けられることを除き、図６および図７（ａ）に示すペットキャリア１１０と同様である。
【００６９】
図１０に示すように、ペットキャリア４１０では、布体１２の内側面である一方の面１２ａにおいて、ペットを収容するポケット１３０より低い位置に取り付けられる下向きポケット４６６を有する。下向きポケット４６６は、下向き開口部４６８と、下向き開口部４６８を閉止する閉止部４６８ａを有する。閉止部４６８ａは、オープンファスナーではないタイプのファスナーで構成されるが、閉止部４６８ａとしてはこれのみには限定されない。
【００７０】
ポケット１３０の側面１３０ｂに設けられる第５係合部４３８と第６係合部４３９は、スナップボタンにより構成される。第５係合部４３８には、第３係合紐部５３の第３係合部５３ａが着脱自在に係合し、第６係合部４３９には、第４係合紐部５４の第４係合部５４ａが着脱自在に係合する。
【００７１】
第３係合部５３ａおよび第４係合部５４ａを、第５係合部４３８および第６係合部４３９に係合させることにより、図１１に示すように、ペットキャリア４１０をバッグとして使用する際、布体１２の下方部分が垂れ下がることを防止できる。また、図１１に示すようにペットキャリア４１０をバッグとしてして使用する際、第３係合部５３ａおよび第４係合部５４ａと第５係合部４３８および第６係合部４３９とを係合させることにより、下向きポケット４６６の下向き開口部４６８が上向きとなるため、小物を出し入れするポケットとして使いやすくなる。
【００７２】
また、ペットキャリア４１０は、ペットを収容するポケット１３０以外にも下向きポケット４６６を有するため、ペットに使用する小物などを、ペットの収容部分とは別の場所に収容することができるため便利である。なお、ペットキャリア４１０には、下向きポケット４６６の代りに、側方に開口を有する側方ポケットを設けることも可能である。その他、ペットキャリア４１０は、ペットキャリア１１０との共通部分については、ペットキャリア１１０と同様の効果を奏する。
【符号の説明】
【００７３】
１０、１１０、２１０、３１０、４１０…ペットキャリア
１２…布体
１４…第１縦辺
１６…第２縦辺
１８…縦方向の中心位置
１２ａ…一方の面
１２ｂ…他方の面
２０…オープンファスナー
２２…一方側
２３…スライダー
２４、２８…務歯
２５…箱
２６…他方側
２７…蝶棒
３０、１３０、２３０…ポケット
３０ａ…中心位置
１３０ｂ…側面
３２…開口部
３４…ネット状部分
３５…絞り紐
１３６、２３６…底部
４３８…第５係合部
４３９…第６係合部
４０ａ、４０ｂ…取っ手
４２…連結紐部
４２ａ…連結具
５１…第１係合紐部
５１ａ…第１係合部
５１ｂ…紐部基端
５２…第２係合紐部
５１ｂ…紐部基端
５２ａ…第２係合部
５３…第３係合紐部
５３ａ…第３係合部
５３ｂ、５４ｂ…紐部基部
５４…第４係合紐部
５４ａ…第４係合部
３６１ａ、３６１ｂ…肩掛け紐
３６２…腰紐
３６２ｃ、３６２ｄ…プラスチックバックル
４６６…下向きポケット
４６８…下向き開口部
４６８ａ…閉止部
８０…アウターウェア本体部
８２…右前身頃
８２ａ、８９ａ…スナップボタン
８４…左前身頃
８５…オープンファスナーの一方側
８６…オープンファスナーの他方側
８７…右係合部
８８…左係合部
８９…持ち出し部分
９０…ペット
【要約】
【課題】ペットキャリアを持ち歩く煩わしさを軽減できるとともに、ペットを同伴者の体に近い位置に保持でき、かつ、同伴者の動きを制約しにくいペットキャリア等を提供する。
【解決手段】縦長の布体と、前記布体の第１縦辺に沿って設けられるオープンファスナーの一方側と、前記布体の第２縦辺に沿って設けられるオープンファスナーの他方側と、上向きの開口部を有し、前記布体の一方の面において中心位置が前記布体の縦方向の中心位置より高い位置に取り付けられる、ペットを収容するポケットと、を有しており、オープンファスナー式のアウターウェア本体部に着脱可能なペットキャリア。
【選択図】図３【図１】
0006967237.tif 000002
【図２】
0006967237.tif 000003
【図３】
0006967237.tif 000004
【図４】
0006967237.tif 000005
【図５】
0006967237.tif 000006
【図６】
0006967237.tif 000007
【図７】
0006967237.tif 000008
【図８】
0006967237.tif 000009
【図９】
0006967237.tif 000010
【図１０】
0006967237.tif 000011
【図１１】
0006967237.tif 000012